(57)【要約】【課題】施療用突起の長さを確保しつつ、これらの施療用突起同士が触れ合い難いようにすることができる頭皮ケア器を提供する。【解決手段】フレーム２と、このフレーム２に収納される電動機と、この電動機の回転運動を伝達する伝達機構４と、この伝達機構４によって回転させられる回転機構部と、この回転機構部に連結された複数の回転施療子５とを有する。これらの回転施療子５が、筒部５５と、この筒部５５の先端に一体に突設される複数の略円柱状の施療用突起５６とを有し、これらの施療用突起５６が、先端側ほど細くなる略錐状の突起基部１０４と、この突起基部１０４の先端部に設けられた円柱状の突起先端部１０３とを有する。これにより、前記施療子５を人体に押し当てて回転させても、これらの施療用突起５６同士が触れ難くなるので、これらの施療用突起５６が人体の皮膚を掴むようにして、良好に頭皮ケアを行うことができる。【選択図】図１
2016010443.tif 000002
【特許請求の範囲】
【請求項１】
フレームと、このフレームに収納される電動機と、この電動機の回転運動を伝達する伝達機構と、この伝達機構によって回転させられる回転機構部と、この回転機構部に連結された複数の回転施療子とを有する頭皮ケア器において、
前記回転施療子が、筒部と、この筒部の先端に一体に突設される複数の施療用突起とを有し、前記施療用突起が、先端側ほど細くなる突起基部と、この突起基部の先端部に設けられた略柱状の突起先端部とを有することを特徴とする頭皮ケア器。
【請求項２】
複数の前記突起基部が、先端側ほど互いに離れるように形成されることを特徴とする請求項１記載の頭皮ケア器。
【請求項３】
フレームと、このフレームに収納される電動機と、この電動機の回転運動を伝達する伝達機構と、この伝達機構によって回転させられる回転機構部と、この回転機構部に連結された複数の回転施療子とを有する頭皮ケア器において、
前記回転施療子が、筒部と、この筒部の先端に一体に突設される複数の略錐状の施療用突起とを有し、これらの施療用突起が、その軸方向が先端側ほど広がるように形成されることを特徴とする頭皮ケア器。
【請求項４】
前記筒部の中心軸に対し、前記施療用突起の外面における反中心軸側部分が平行か又は先端側ほどやや狭まるように形成されることを特徴とする請求項３記載の頭皮ケア器。
【発明の詳細な説明】
【技術分野】
【０００１】
本発明は、複数の施療子を備えた頭皮ケア器に関するものである。
【背景技術】
【０００２】
従来、この種の頭皮ケア器としては、人体の頭皮と接触し、駆動源の駆動により動作される施術子の施術突起にて前記頭皮に刺激を付与する頭皮ケア器であって、施術子の施術突起が前回転軸を周回するように回転する頭皮ケア器がある（例えば特許文献１）。
【先行技術文献】
【特許文献】
【０００３】
【特許文献１】特開２０１２−６１１８１号公報
【発明の概要】
【発明が解決しようとする課題】
【０００４】
施術子に設けられた複数の施術突起は、ある程度の高さが必要である。施術突起の高さが低すぎると、毛量の豊かな人が使用する場合、施術突起が地肌に良好に接することができないからである。しかしながら、施術突起の高さが高すぎると、施術突起が弾性変形した際にそれらの先端部同士が集まり、狭い領域にしか施術できず、施術子の可動範囲によっては、施術突起の先端部が殆ど動かない虞がある。施術突起同士の間隔を大きくすることで、この問題はある程度解消できるが、施術子の大きさが大きくなってしまうという別の問題が生じる。
【０００５】
本発明は以上の問題点を解決し、施療用突起の長さを確保しつつ、これらの施療用突起同士が触れ合い難いようにすることができる頭皮ケア器を提供することを目的とする。
【課題を解決するための手段】
【０００６】
本発明の請求項１に記載の頭皮ケア器は、フレームと、このフレームに収納される電動機と、この電動機の回転運動を伝達する伝達機構と、この伝達機構によって回転させられる回転機構部と、この回転機構部に連結された複数の回転施療子とを有する頭皮ケア器において、前記回転施療子が、筒部と、この筒部の先端に一体に突設される複数の施療用突起とを有し、前記施療用突起が、先端側ほど細くなる突起基部と、この突起基部の先端部に設けられた略柱状の突起先端部とを有することを特徴とする。
【０００７】
また、本発明の請求項２に記載の頭皮ケア器は、請求項１において、複数の前記突起基部が、先端側ほど互いに離れるように形成されることを特徴とする。
【０００８】
また、本発明の請求項３に記載の頭皮ケア器は、フレームと、このフレームに収納される電動機と、この電動機の回転運動を伝達する伝達機構と、この伝達機構によって回転させられる回転機構部と、この回転機構部に連結された複数の回転施療子とを有する頭皮ケア器において、前記回転施療子が、筒部と、この筒部の先端に一体に突設される複数の略錐状の施療用突起とを有し、これらの施療用突起が、その軸方向が先端側ほど広がるように形成されることを特徴とする。
【０００９】
更に、本発明の請求項４に記載の頭皮ケア器は、請求項３において、前記筒部の中心軸に対し、前記施療用突起の外面における反中心軸側部分が平行か又は先端側ほどやや狭まるように形成されることを特徴とする。
【発明の効果】
【００１０】
本発明の請求項１に記載の頭皮ケア器は、以上のように構成することにより、前記施療子を人体に押し当てた際、前記施療用突起同士が触れにくくなるので、前記施療用突起が人体に皮膚を掴むようにして、良好に頭皮ケアを行うことができる。
【００１１】
なお、複数の前記突起基部を、先端側ほど互いに離れるように形成することで、突起先端部同士の間隔を大きくして、前記施療用突起同士をより触れ難くすることができる。
【００１２】
また、本発明の請求項３に記載の頭皮ケア器は、以上のように構成することにより、前記施療子を人体に押し当てた際、前記施療用突起同士の先端が広がるように人体に当接するので、前記施療用突起が人体の皮膚をも掴むようにして、良好に頭皮ケアを行うことができる。
【００１３】
なお、前記筒部の中心軸に対し、前記施療用突起の外面における反中心軸側部分を、平行か又は先端側ほどやや狭まるように形成することで、前記回転施療子の製造を容易に行うことができる。
【図面の簡単な説明】
【００１４】
【図１】本発明の実施例１を示す頭皮ケア器の底面を上側にした状態で上方から見た斜視図である。
【図２】同上、内部機構の底面図である。
【図３】同上、内部機構の正面図である。
【図４】同上、内部機構の平面図である。
【図５】同上、前側から見た内部機構の斜視図である。
【図６】同上、後側から見た内部機構の斜視図である。
【図７】同上、上中間伝達歯車の側面図である。
【図８】同上、前側駆動歯車群の要部の側面図である。
【図９】同上、歯車の並びを説明する説明図である。
【図１０】同上、回転施療子の取付構造を示す断面図であり、（Ａ）に対して（Ｂ）は歯車が１８０度回転した状態を示す。
【図１１】同上、往復施療子の取付構造を示す断面図であり、（Ａ）に対して（Ｂ）は歯車が９０度回転した状態、（Ｃ）は１８０度回転した状態、（Ｄ）は２７０度回転した状態を示す。
【図１２】同上、回転施療子と往復施療子の駆動を説明する説明図である。
【図１３】同上、施療子本体の斜視図である。
【図１４】同上、施療子本体平面図である。
【図１５】同上、施療子本体の正面図である。
【図１６】同上、施療子本体の側面図である。
【図１７】同上、施療子本体の底面図である。
【図１８】同上、図１７のＡ−Ａ線断面図である。
【図１９】本発明の実施例２を示す施療子本体の正面図である。
【図２０】本発明の実施例３を示す施療子本体の正面図である。
【図２１】同上、施療子本体の平面図である。
【図２２】本発明の実施例４を示す頭皮ケア器の内部機構の、底面を上側にした状態で上方から見た斜視図である。
【図２３】同上、内部機構の上方から見た斜視図である。
【図２４】同上、内部機構の底面図である。
【図２５】同上、内部機構の平面図である。
【図２６】同上、内部機構の側面図である。
【図２７】同上、内部機構の正面図である。
【図２８】同上、回転施療子と往復施療子の駆動を説明する説明図である。
【発明を実施するための最良の形態】
【００１５】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
図１乃至図１８は実施例１を示している。１は、本発明の頭皮ケア器である。この頭皮ケア器１は、フレーム２と、電動機３と、この電動機３の回転運動を伝達する伝達機構４と、この伝達機構４に接続された施療子たる回転施療子５及び往復施療子６とを備えている。なお、前記電動機３と伝達機構４は、前記フレーム２に支持されている。また、前記伝達機構４は、回転機構部７と、この回転機構部７の回転を往復動に変換する変換機構部８とを備え、前記回転機構部７に複数の前記回転施療子５が接続され、前記変換機構部８に複数の前記往復施療子６が接続されている。
【００１７】
図３等に示すように、前記電動機３は、歯車ケース１４を介して、前側に駆動軸３Ａを有し、この駆動軸３Ａに駆動歯車１５が設けられている。なお、前記電動機３、歯車ケース１４及び駆動軸３Ａは、前記フレーム２に対して前後方向に配置されている。また、前記駆動歯車１５には、この駆動歯車１５の回転を減速する減速機構１６が接続されている。なお、前記電動機３の回転は、前記駆動軸３Ａに至るまでの間に、前記歯車ケース１４内で予め減速されている。また、以下、単に歯車と記したものは、平歯車である。
【００１８】
前記減速機構１６は、第一減速歯車１７と第二減速歯車１８とを備えている。前記第一減速歯車１７は、歯数の多い大歯車部１７Ｂと歯数の少ない小歯車部１７Ｓとを一体に備えている。前記大歯車部１７Ｂは、この大歯車部１７Ｂより歯数が少ない前記駆動歯車１５と噛み合い、前記小歯車部１７Ｓは、この小歯車部１７Ｓより歯数が多い第二減速歯車１８と噛み合う。そして、これら第一及び第二減速歯車１７，１８の回転軸は、歯車カバー１９により前後方向に軸支されている。そして、前記駆動歯車１５、第一減速歯車１７及び第二減速歯車１８により、前後方向を回転中心とした上部減速歯車群２０が構成されている。
【００１９】
前記上部減速歯車群２０の下方に、前記フレーム２に対して上下方向を回転中心とする上側中間伝達歯車２１が回動自在に軸支されている。この上側中間伝達歯車２１は、前記第二減速歯車と噛み合う冠歯車２２が上部に設けられ、この冠歯車２２の下部に歯車２３が一体に設けられている。
【００２０】
また、前記上側中間伝達歯車２１の下方には、下側中間伝達歯車２５が回動可能に軸支されている。この下側中間伝達歯車２５は、歯数の少ない小歯車部２５Ｓと歯数の多い大歯車部２５Ｂとを有している。そして、前記小歯車部２５Ｓは、前記歯車２３と噛み合っている。なお、下側中間伝達歯車２５の回転軸２５Ｋは上下方向をなし、この回転軸２５Ｋと前記回転機構部７の他の歯車の回転軸は平行であり、それら歯車は前記フレーム２等に回動可能に軸支されている。
【００２１】
図２等に示すように、前記大歯車部２５Ｂには、前記往復施療子６を駆動する後側駆動歯車２６が噛み合っている。また、前記大歯車部２５Ｂには、前記回転施療子５を駆動する前側駆動歯車群３１が接続されている。そして、前記上部減速歯車群２０、後側駆動歯車２６及び前側駆動歯車群３１により、前記電動機３の回転運動を伝達する前記伝達機構４が構成されている。
【００２２】
以下、前記前側駆動歯車群３１について説明する。この前側駆動歯車群３１は、同一構成で相互に噛み合う左右一対の中央歯車３２Ｌ，３２Ｒを有し、一方の中央歯車３２Ｒが前記大歯車部２５Ｂと噛み合っている。また、外側左右の前記回転施療子５に対応して、左右に外側歯車３３Ｒ，３３Ｌが配置されている。なお、隣接する前記中央歯車３２Ｌと外側歯車３３Ｌとの間、及び中央歯車３２Ｒと外側歯車３３Ｒとの間に、それぞれ伝達歯車３４Ｌ，３４Ｒが配置されている。
【００２３】
また、前記中央歯車３２Ｌと中央歯車３２Ｒは、同一構成である。同様に、前記外側歯車３３Ｌと外側歯車３３Ｒは、同一構成である。また、前記中央歯車３２Ｌ，３２Ｒと外側歯車３３Ｌ，３３Ｒの歯数は同じである。従って、前記中央歯車３２Ｌ，３２Ｒが一回転すると、前記外側歯車３３Ｌ，３３Ｒも一回転するように構成されている。更に、一対の前記中央歯車３２Ｌ，３２Ｒに対して、前記外側歯車３３Ｌ，３３Ｒは、斜め後側に位置する。具体的には、一対の前記中央歯車３２Ｌ，３２Ｒの中心を結ぶ仮想線を１２１、前記中央歯車３２Ｌと外側歯車３３Ｌの中心を結んだ仮想線を１２２、前記中央歯車３２Ｒと外側歯車３３Ｒの中心を結んだ仮想線を１２３とすると、仮想線１２１と仮想線１２２とがなす角度θ１、及び仮想線１２１と仮想線１２３とがなす角度θ２は、何れも５〜３５度、好ましくは２０度である。また、前記中央歯車３２Ｒと大歯車部２５Ｂと後側駆動歯車２６は同一歯数であり、これらの回転中心が一直線上に並んでいる。更に、前記大歯車部２５Ｂ、中央歯車３２Ｌ，３２Ｒ、及び外側歯車３３Ｌ，３３Ｒは、その回転軸が全て前記フレーム２の上下方向に向いており、全て平行である。
【００２４】
従って、図９において、前記大歯車部２５Ｂが右回りに回転すると、これと噛み合っている前記中央歯車３２Ｒは左回りに回転する。また、この中央歯車３２Ｒと噛み合っている前記中央歯車３２Ｌは右回りに回転する。また、前記伝達歯車３４Ｒを介して前記中央歯車３２Ｒに接続されている前記外側歯車３３Ｒは、左回りに回転する。更に、前記伝達歯車３４Ｌを介して前記中央歯車３２Ｌに接続されている前記外側歯車３３Ｌは、右回りに回転する。なお、前記大歯車部２５Ｂが一回転すると、前記中央歯車３２Ｌ，３２Ｒ及び外側歯車３３Ｌ，３３Ｒが、何れも一回転する。
【００２５】
更に、前記前側駆動歯車群３１は、前記外側歯車３３Ｌ，３３Ｒの下部に、傘歯車３５Ｌ，３５Ｒをそれぞれ一体に設けている。そして、これらの傘歯車３５Ｌ，３５Ｒは、左右両側の前記回転施療子５，５を駆動する従動側傘歯車３６Ｌ，３６Ｒとそれぞれ噛み合っている。なお、これらの傘歯車３５Ｌ，３５Ｒ，３６Ｌ，３６Ｒは、歯筋がピッチ円錐の母直線と一致する直歯傘歯車である。また、前記傘歯車３６Ｌ，３６Ｒは、それぞれの中心軸線１３６Ｌ，１３６Ｒが、前記外傘歯車３５Ｌ，３５Ｒの中心軸線１３５Ｌ，１３５Ｒに対し、前記中央歯車３２Ｌ，３２Ｒに向かって角度θ傾斜している。なお、この角度θは、１５度程度である。即ち、前記傘歯車３６Ｌ，３６Ｒの回転中心軸１３６Ｌ，１３６Ｒは、それぞれ前記中央歯車３２Ｌ，３２Ｒ側に向かって、左右方向内側後向きに傾斜している。なお、前記傘歯車３５Ｌ，３５Ｒが第一傘歯車であり、前記従動側傘歯車３６Ｌ，３６Ｒが第二傘歯車である。
【００２６】
また、図３及び図８に示すように、前記従動側傘歯車３６Ｌ，３６Ｒの下部には、それぞれ鍔部３６Ｔが周設され、前記フレーム２に設けた円形溝部（図示せず）内に、前記鍔部３６Ｔが回動可能に支持されている。以上が前記前側駆動歯車群３１の構成である。そして、前記上部減速歯車群２０及び前側駆動歯車群３１により、前記回転機構部７が構成されている。また、前記傘歯車３５Ｌ，３６Ｌにより施療子回転部９（９Ｌ）を構成すると共に、傘歯車３５Ｒ，３６Ｒにより施療子回転部９（９Ｒ）を構成している。
【００２７】
次に、前記往復施療子６を接続した前記変換機構部８について説明する。図１１に示すように、前記後側駆動歯車２６の下面には、この駆動歯車２６の回転中心から偏心した位置に、カム突起４１が設けられている。このカム突起４１の先端部は球形状をなす。そして、前記往復施療子６を取り付ける中間取付体４２は、前記カム突起４１が係入するカム枠部４３と、中間取付部４４と、この中間取付部４４から左右に突出した軸部４５，４５を一体に設けている。なお、前記カム枠部４３は、左右方向に長く形成されており、その左右方向の内寸長さは、前記カム突起４１の回転軌跡の外径Ｄ以上である。また、前記軸部４５，４５は、取付ケース４６により回動可能に軸支されている。なお、前記カム突起４１は、前記カム枠部４３内に位置している。従って、前記後側駆動歯車２６が回転すると、前記カム突起４１が円運動し、このカム突起４１の回転運動のうち、前後方向の動きのみを前記カム枠部４３が抽出することで、前記中間取付体４２が前記軸部４５，４５を中心に前後に揺動する。
【００２８】
前記中間取付体４２には、施療体４７が取り付けられている。この施療体４７は、横長の連結部４８と、この連結部４８の左右両端から突出して設けられた一対の取付部４９，４９を備えている。そして、前記連結部４８の中央を、前記中間取付体４２の中間取付部４４に固定している。更に、前記取付部４９，４９に、それぞれ施療子本体５１，５１を連結している。そして、これらの施療子本体５１，５１と前記取付部４９，４９により、前記往復施療子６が構成されている。
【００２９】
図１に示すように、施療子本体５１は、前記取付部４９に外装される円筒状の筒部５５と、この筒部５５の先端に突設された複数（３本）の施療用突起５６とを有している。また、この施療用突起５６は、略円柱状に形成されていると共に、その先端に複数（４個）の小突起５７が設けられている。なお、前記施療子本体５１は、エラストマーやシリコンゴム等の弾性材料から形成することができる。
【００３０】
図１３〜図１８に示すように、前記筒部５５は下部に下円筒部１０１を有し、この下円筒部１０１の上部に上方に向かって僅かに縮径する縮小円筒部１０２が一体に設けられ、この縮小円筒部１０２の上面である筒部上面５５Ａに、図１４に示すように、複数の施療用突起５６が相互に間隔を置いて且つ周方向等間隔に突設されている。また、前記施療用突起５６の上部（先端）には略半球状の先端面５６Ａが形成され、この先端面５６Ａに前記小突起５７が周方向等間隔に突設されている。なお、施療用突起５６は中実である。
【００３１】
前記施療用突起５６の上部には、円柱状の突起先端部１０３が設けられると共に、前記施療用突起５６の下部には、上端側（先端側）が細くなる突起基部１０４が設けられている。この突起基部１０４には、前記突起先端部１０３の下端で筒部５５の中心側から筒部５５の上面に向かって拡大する拡大肉厚部１０５を形成している。即ち、前記突起基部１０４の上端１０４Ａから下の筒部５５の中心側に向かって断面積が拡大する拡大肉厚部１０５が形成され、この拡大肉厚部１０５の分だけ前記突起基部１０４は前記突起先端部１０３に比べて太く形成されている。そして、図１３及び図１６に示すように、複数の前記突起基部１０４は、拡大肉厚部１０５により、先端側ほど互いに離れるように形成されている。なお、前記各施療用突起５６，５６，５６の突起先端部１０３，１０３，１０３同士は、ほぼ平行である。
【００３２】
また、前記各施療用突起５６，５６，５６の中央における前記筒部上面５５Ａから前記小突起５７の先端までの長さに対して、突起基部１０４の長さは３分の１以上、２分の１以下が好ましい。前記長さが３分の１未満であると、前記拡大肉厚部１０５による前記施療用突起５６の中央側への変形防止効果が十分に得られなくなる場合があり、一方、前記長さが２分の１を超えると、基端側において前記施療用突起５６同士の間隔が狭くなり、毛の間に入り難くなる場合があるためである。
【００３３】
更に、前記拡大肉厚部１０５の左，右側部１０５Ｓ，１０５Ｓは、略直線状をなし、且つ前記施療用突起５６の中心軸に対して斜設され、前記拡大肉厚部１０５の上縁１０５Ｕから、前記筒部上面５５Ａの外周に向かって、左，右側部１０５Ｓ，１０５Ｓの隔が狭くなるように形成されている。一方、前記施療用突起５６の筒部５５の外周側は、直線状に形成され、前記縮小円筒部１０２の上端側面と略連続するように形成されている。なお、前記筒部上面５５Ａの中央は、この筒部上面５５Ａの周囲５５Ｓと略同一高さに形成されている。
【００３４】
次に、前記回転施療子５の駆動機構について説明する。図３及び図１０に示すように、前記中央歯車３２Ｌ，３２Ｒ及び外側歯車３３Ｌ，３３Ｒの下面には、これらの回転中心から偏心した位置に、カム受け部６１が設けられている。これらのカム受け部６１は、円筒部の内側により構成されている。
【００３５】
前記回転施療子５は、取付軸６５と、前記施療子本体５１とからなる。そして、前記取付軸６５の上部には、前記カム受け部６１内に挿入されるカム部６６が形成されている。なお、このカム部６６は、球状に形成されている。また、前記取付軸６５の下部に、前記施療子本体５１を取り付ける取付部６７が形成されている。
【００３６】
図１７及び図１８に示すように、前記筒部５５の下面中央には前記取付軸６５の取付部６７を挿入する挿入孔１１１が形成され、この挿入孔１１１には周方向等間隔に複数（３箇所）の切欠き溝１１２が放射状に設けられている。また、前記挿入孔１１１の基端側には拡径部１１１Ａが設けられ、この拡径部１１１Ａの外面は球面の一部により形成されている。更に、前記拡径部１１１Ａに対応して、前記取付部６７に抜け止め部６７Ａを設けている。従って、前記取付部６７を前記挿入孔１１１に挿入すると、前記抜け止め部６７Ａが前記拡径部１１１Ａに係入し、抜け止め状態が得られる。
【００３７】
更に、前記取付軸６５の長さ方向略中央には、揺動係合部６８が形成されている。この揺動係合部６８は、上下の部分より太く形成され、その外面が略球面に形成されている。そして、前記揺動係合部６８には、前記取付軸６５の軸方向と直交するように、軸挿通孔６９が貫通形成されており、この軸挿通孔６９に支軸７０が挿通されている。なお、図１０に示すように、前記軸挿通孔６９は、その中央部が前記支軸７０の直径より僅かに広く、且つ、中央部から外側に向かって内径が拡大する拡大部７１，７１が形成されている。即ち、前記軸挿通孔６９は鼓状に形成されている。更に、前記揺動係合部６８は、取付ケース７２に形成された球面状の受け部７３によって、揺動可能に支持されている。
【００３８】
従って、前記中央歯車３２Ｌ，３２Ｒ及び外側歯車３３Ｌ，３３Ｒが回転すると、前記揺動係合部６８を揺動の中心として、前記取付軸６５の先端が円を描くように回転する。
【００３９】
そして、上記の回転施療子５では、前記施療用突起５６の突起基部１０４が先端側の突起先端部１０３より太く形成されているため、毛量の豊富な人に合わせて前記施療用突起５６の高さを設定しても、回転運動の際に前記施療用突起５６同士が弾性変形して中央側に集まり難く、複数の前記施療用突起５６が間隔を保った状態で頭皮のケアを行うことができる。特に、前記突起基部１０４には中央側に前記拡大肉厚部１０５を設けたから、回転運動時において、前記施療用突起５６の中央側への変形を抑制することができる。
【００４０】
図１０に示すように、前記回転施療子５を取り付ける前記取付ケース７２は、前記支軸７０の端部を挿入して取り付ける取付部たる支軸取付孔７４を有する。なお、前記取付ケース７２は、二分割された分割ケース７２Ａ，７２Ａからなり、支軸７０と共に前記取付軸６５を組み込んだ状態で、前記分割ケース７２Ａ，７２Ａを組み立ててなる。
【００４１】
図１２は、前記回転施療子５と往復施療子６の動作を説明する図面である。同図に示すように、対称面８１を基準として、左右の前記中央歯車３２Ｌ，３２Ｒ同士、左右の前記外側歯車３３Ｌ，３３Ｒ同士、及び左右の前記往復施療子６，６同士は、面対称の位置にある。また、前記対称面８１を表す線上において、前記歯車３２Ｌ，３２Ｒ，３３Ｌ，３３Ｒの中心と基準点８２を結ぶ仮想線１３２Ｌ，１３２Ｒ，１３３Ｌ，１３３Ｒの長さは略等しく、且つ、前記対称面８１を表す線に対して、左右の中央歯車３２Ｌ，３２Ｒの仮想線１３２Ｌ，１３２Ｌとのなす角度θ３は等しく、仮想線１３２Ｌ，１３２Ｌと左右の外側歯車３３Ｌ，３３Ｒの仮想線１３３Ｌ，１３３Ｒとのなす角度θ４は等しい。また、前述した通り、前記歯車３２Ｌ，３２Ｒ，３３Ｌ，３３Ｒの直径及び歯数は等しい。そして、角度θ４は角度θ３の２倍強である。具体的には、本実施例では、角度θ３を９度、角度θ４を２１度とする。また、この角度θ４は、前記角度θ１及びθ２よりもやや大きい。なお、各支軸７０は、前記仮想線１３２Ｌ，１３２Ｒ，１３３Ｌ，１３３Ｒの向きに沿って配置される。また、前記傘歯車３６Ｌ，３６Ｒの中心軸線１３６Ｌ，１３６Ｒは、前記仮想軸線１３３Ｌ，１３３Ｒを中心に角度θ傾斜している。
【００４２】
そして、前記回転施療子５と往復施療子６は、前記対称面８１の左右に位置する左側部分（第一部分）８３Ｌと右側部分（第二部分）８３Ｒが面対称となるように配置されていると共に、面対称状に動作する。具体的には、全ての前記回転施療子５，５，５，５は、前記仮想線１３２Ｌ，１３２Ｒ，１３３Ｌ，１３３Ｒの延長線上で、且つ前記基準点８２から最も離れた位置に回転施療子５の先端が位置する基準位置に、同時に位置することができる。この際、前記往復施療子６，６の先端は、往復動する外側位置（後側位置）にある。ここから、前記電動機３が動作すると、前記左側部分８３Ｌの回転施療子５，５の先端は、右回りに同一速度で回転し、右側部分８３Ｒの回転施療子５，５の先端は、左回りに同一速度で回転する。回転施療子５，５が前記基準位置から９０度回転した位置に「△」を付し、１８０度回転した位置に「○」を付し、２７０度回転した位置に「×」を付しており、３６０度回転して戻った基準位置に「●」を付している。また、往復施療子６にも対応する位置に「●」「△」「○」「×」を付した。即ち、前記回転施療子５，５が前記基準位置から９０度回転した位置の「△」では、前記往復施療子６は中間位置、前記回転施療子５，５が１８０度回転した位置では、前記往復施療子６は内側位置（前側位置）、前記回転施療子５，５が２７０度回転した位置では、前記往復施療子６は中間位置、前記回転施療子５，５が３６０度回転した位置では、往復施療子６は外側位置となる。なお、左右の前記往復施療子６，６は、同一動作をなす。従って、前記回転施療子５と往復施療子６は「●」から「○」の間に相互の先端が近付くように駆動し、「○」から「●」の間に相互の先端が離れるように駆動する。
【００４３】
上記のように、前記左側部分８３Ｌと右側部分８３Ｒで、前記施療子５，６は面対称形に配置されると共に、面対称状に動作する。
【００４４】
そして、図示しないスイッチにより、前記電動機３を駆動し、頭皮に前記施療子５，６を当てると、前記回転施療子５の先端が円運動し、前記往復施療子６の先端が前後に往復動して、頭皮をマッサージすることができる。この際、中央の２つの回転施療子５，５が、あたかも両手の人差し指のように、左右外側の回転施療子５，５が、あたかも両手の中指のように、頭皮をマッサージすることができる。加えて、これら４つの回転施療子５，５，５，５から離れた位置の前記往復施療子６が、あたかも両手の親指のように頭皮をマッサージすることができる。この結果、前記回転施療子５と往復施療子６とが、前記回転施療子５の回転を伴いながら、相互に近寄ったり離れたりする動作を繰り返すので、全体として、あたかも手で頭皮を掴んで揉むようにしてマッサージを行うことができる。
【００４５】
また、前記左側部分８３Ｌと右側部分８３Ｒで回転施療子５の先端が同期して逆方向に回転するため、頭皮に前記回転施療子５を当てた状態で前記頭皮ケア器１が揺れず、安定して円運動を行わせることができる。即ち、仮に全ての前記回転施療子５を同一方向に回転させた状態で頭皮に当てると、発生するトルクの反作用により、前記頭皮ケア器１を反回転方向に移動させる力が発生する。そして、これを抑えるためには、前記頭皮ケア器１が動かないように、使用者がしっかりと把持しなければならない。しかしながら、本実施例では、前記左側部分８３Ｌと右側部分８３Ｒで、前記回転施療子５が面対称状に駆動することで、前記頭皮ケア器１を移動させる力が打ち消されるため、容易に安定して把持することができる。
【００４６】
このように本実施例では、フレーム２と、このフレーム２に収納される電動機３と、この電動機３の回転運動を伝達する伝達機構４と、この伝達機構４によって回転させられる回転機構部７と、この回転機構部７に連結された複数の回転施療子５，５とを有する頭皮ケア器１において、前記回転施療子５が、筒部５５と、この筒部５５の先端に一体に突設される複数の略円柱状の施療用突起５６とを有し、これらの施療用突起５６が、先端側ほど細くなる略錐状の突起基部１０４と、この突起基部１０４の先端部に設けられた円柱状の突起先端部１０３とを有するから、前記回転施療子５を人体に押し当てた際、前記施療用突起５６同士が触れにくくなるので、これらの施療用突起５６が人体の皮膚を掴むようにして、良好に頭皮ケアを行うことができる。
【００４７】
また、複数の前記突起基部１０４が、先端側ほど互いに離れるように形成されるから、前記突起先端部１０３同士の間隔を大きくして、前記施療用突起５６同士をより触れ難くすることができる。
【００４８】
更に、実施例上の効果として、前記突起基部１０４に、前記筒部５５の筒部上面５５Ａの中央側に拡大肉厚部１０５を設けたから、前記施療用突起５６の中央側への変形を抑制することができる。また、前記拡大肉厚部１０５が、前記突起基部１０４の周囲の２分の１以上、即ち拡大肉厚部１０５の左，右側部１０５Ｓ，１０５Ｓの間隔が突起基部１０４の周囲の２分の１以上であるから、中央側への前記施療用突起５６の倒れを効果的に防止できる。更に、前記拡大肉厚部１０５が凹状に湾曲しているから、前記突起基部１０４，１０４の間のスペースを確保し、毛量の多い人の使用に適したものとなる。また、前記取付軸６５を挿入する挿入孔１１１には切欠き溝１１２が放射状に設けられているから、前記挿入孔１１１への取付軸６５の挿入作業が容易になると共に、確実な取付状態が得られる。
【００４９】
以下、他の実施例上の効果として、フレーム２と、このフレーム２に収納される電動機３と、この電動機３の回転運動を伝達する伝達機構４と、この伝達機構４によって回転させられる回転機構部７と、この回転機構部７に連結された複数の回転施療子５，５とを有する頭皮ケア器１において、前記回転機構部７が、複数の第一傘歯車たる傘歯車３５Ｌ，３５Ｒと、これらの傘歯車３５Ｌ，３５Ｒと噛み合う第二傘歯車たる従動側傘歯車３６Ｌ，３６Ｒとを有し、これらの従動側傘歯車３６Ｌ，３６Ｒの回転軸１３６Ｌ，１３６Ｒを前記傘歯車３５の回転軸１３５Ｌ，１３５Ｒに対し傾斜させると共に、前記従動側傘歯車３６Ｌ，３６Ｒと前記回転施療子５，５を連結させたから、複数の前記回転施療子５，５の回転軸同士が傾斜するようにしても、確実に歯車同士を噛み合わせて円滑に前記回転施療子５，５を回転させることができる。
【００５０】
また、複数の前記回転施療子５，５同士が内側を向くように、複数の第二傘歯車たる前記従動側傘歯車３６Ｌ，３６Ｒの回転軸１３６Ｌ，１３６Ｒを傾斜させたから、頭皮の湾曲形状に倣って前記回転施療子５，５の先端を頭皮に当てることができるので、頭皮ケア効果を向上させることができる。
【００５１】
更に、複数の前記回転施療子５，５が面対称状に配列されると共に、面対称状となる前記回転施療子５，５の左側部分８３Ｌと右側部分８３Ｒとが、面対称に回転するから、頭皮に当てた回転施療子が回転しても、回転に伴って前記フレーム２を移動させようとする力が打ち消され、頭皮に対して前記フレーム２を移動させようとする力が発生せず、このフレーム２を容易に安定して保持することができる。
【００５２】
また、実施例上の効果として、フレーム２と、このフレーム２に収納される電動機３と、この電動機３の回転運動を伝達する伝達機構４と、この伝達機構４に接続された施療子とを有する頭皮ケア器において、前記伝達機構４が、回転機構部７と、この回転機構部７の回転を往復動に変換する変換機構部８とを備え、前記施療子が、前記回転機構部７に接続されて回転運動を行う回転施療子５と、前記変換機構部８に接続されて往復運動を行う往復施療子６とを備えることで、従来に比べて人の手に近い動きでマッサージすることができるので、頭皮ケア効果を向上させることができる。
【００５３】
また、前記回転施療子５及び往復施療子６を面対称状に配列すると共に、面対称状となる前記回転施療子５の第一部分である左側部分８３Ｌと、第二部分である右側部分８３Ｒとを、逆方向に回転させることにより、人が両手でマッサージをするのに近い動きでマッサージすることができるので、頭皮ケア効果を向上させることができる。
【００５４】
更に、前記左側部分８３Ｌと右側部分８３Ｒとが、それぞれ複数の回転施療子５，５を有すると共に、前記左側部分８３Ｌの回転施療子５，５同士及び前記右側部分８３Ｒの回転施療子５，５同士を、それぞれ同一方向に回転させることにより、人が両手で行うマッサージにより近付けてマッサージすることができるので、頭皮ケア効果を向上させることができる。
【００５５】
しかも、前記伝達機構４のうち、外側に設けられた回転施療子５，５を回転させるための部分である従動側傘歯車３６Ｌ，３６Ｒを、内側に設けられた回転施療子５，５を回転させる部分である中央歯車３２Ｌ，３２Ｒに対して内側に傾けて設けることにより、頭皮の湾曲形状に倣って前記回転施療子５，５の先端を頭皮に当てることができるので、頭皮ケア効果を向上させることができる。
【００５６】
更に、実施例上の効果として、回転中心が前後方向の上部減速歯車群２０と、回転中心が上下方向の前側駆動歯車群３１及び後側駆動歯車２６とを、上側中間伝達歯車２１及び下側中間伝達歯車２５で連結したことにより、前記フレーム２、ひいては前記頭皮ケア器１の小型化が可能となる。また、中央の前記回転施療子５，５に対して外側の前記回転施療子５，５を斜め後側に配置し、更に、従動側傘歯車３６の回転中心を、前記中央歯車３２Ｌ，３２Ｒの回転中心に対して内側後向きに傾斜させたことにより、人の指に近いマッサージ感覚が得られる。また、前記変換機構部８を、前記後側駆動歯車２６に設けたカム突起４１と、このカム突起４１が係入するカム枠部４３と、このカム枠部４３を軸支する取付ケース４６とを有するように構成したことにより、回転運動を往復運動に変換する機構をコンパクト化することができる。更に、前記取付軸６５の揺動係合部６８の軸挿通孔６９に支軸７０を挿通したことで、前記取付軸６５、ひいてはこれに取り付けられる前記施療子本体５１が、その軸回りに回動するのが前記支軸７０によって妨げられるので、マッサージ時に前記施療子本体５１によって頭皮をしっかり掴んで効果的にマッサージすることができる。また、この際、前記揺動係合部６８と軸挿通孔６９との係合により、前記カム部６６が前記中央歯車３２Ｌ，３２Ｒ及び傘歯車３６Ｌ，３６Ｒの下面に当接しないように支持するため、カム機構を構成する前記カム部６６とカム受け部６１との動作を円滑に行うことができる。
【実施例２】
【００５７】
図１９は本発明の実施例２を示しており、上記実施例１と同一部分に同一符号を付し、その説明を省略して詳述する。この例は、回転施療子５の変形例を示している。この例の施療子本体５１は、複数（４本）の施療用突起５６を有し、これらの施療用突起５６は、略裁頭円錐形をなす。また、前記施療用突起５６の中心軸５６Ｌは、筒部５５の中心軸５５Ｌに対して外側に向くように斜設されている。これにより、複数の前記施療用突起５６…同士は、それらの軸方向が先端側に向かって広がる。また、この例では、前記各施療用突起５６は、それらの基端の直径寸法に対して、先端の直径寸法（先端面における直径寸法）を２分の１以下としている。
【００５８】
また、前記各施療用突起５６の外面における前記中心軸５５Ｌの反対側（以下、反中心軸側部分）５６Ｈ…は、互いに略平行である。そして、前記中心軸５５Ｌを挟んで対向する前記反中心軸側部分５６Ｈ，５６Ｈ同士の間隔は、前記施療子本体５１の最大外径寸法を有する下円筒部１０１より小さい。従って、前記下円筒部１０１の平面内に、全ての前記反中心軸側部分５６Ｈ…が位置する。なお、前記筒部５５の上面５５Ａの中央において、前記各施療用突起５６…の基端（下端）間には間隔が設けられている。
【００５９】
このように本実施例では、フレーム２と、このフレーム２に収納される電動機３と、この電動機３の回転運動を伝達する伝達機構４と、この伝達機構４によって回転させられる回転機構部７と、この回転機構部７に連結された複数の回転施療子５，５とを有する頭皮ケア器１において、前記回転施療子５が、筒部５５と、この筒部５５の先端に一体に突設される複数の略円錐状の施療用突起５６とを有し、これらの施療用突起５６が、その軸５６Ｌの方向が先端側ほど広がるように形成されるから、前記回転施療子５を人体に押し当てた際、前記施療用突起５６同士の先端が広がるように人体に当接するので、これらの施療用突起５６が人体の皮膚をも掴むようにして、良好に頭皮ケアを行うことができる。
【００６０】
また、前記筒部５５の中心軸５５Ｌに対し、前記施療用突起５６の外面における反中心軸側部分５６Ｈ…同士が互いに平行か又は先端側ほどやや狭まるように形成されるから、成形時の型抜きが容易となり、前記回転施療子５の製造を容易に行うことができる。なお、前記施療用突起５６の外面における反中心軸側部分５６Ｈ…同士が先端側ほどやや狭まるように形成する場合も、前記各施療用突起５６…の軸方向、即ち前記各中心軸５６Ｌ…同士は、先端側ほど広がるように、前記中心軸５５Ｌに対して傾斜して形成される。
【００６１】
また、実施例上の効果として、前記各施療用突起５６が、略裁頭円錐形であるから、毛量の多い髪の毛内に挿入して先端を頭皮に当て易くなる。
【実施例３】
【００６２】
図２０〜図２１は本発明の実施例３を示しており、上記各実施例と同一部分に同一符号を付し、その説明を省略して詳述する。この例の施療子本体５１は、複数（３本）の施療用突起５６を有し、これらの施療用突起５６は略裁頭円錐形をなす。また、３本の前記施療用突起５６は、それらの中心軸５６Ｌ…が筒部５５の中心軸５５Ｌに対して外側に向くように斜設されており、これにより、複数の前記各施療用突起５６…同士は、それらの軸方向が先端側に向かって広がる。また、この例では、前記各施療用突起５６は、それらの基端の直径寸法に対して、先端の直径寸法（先端面における直径寸法）を５分の４以下としている。
【００６３】
また、前記各施療用突起５６の先端面５６Ａに設けた小突起５７の中心軸は、前記筒部５５の中心軸５５Ｌと同一方向をなす。なお、前記筒部５５の中心軸５５Ｌは、前記施療子本体５１の中心軸である。
【００６４】
このように本実施例では、回転施療子５が、筒部５５と、この筒部５５の先端に一体に突設される複数の略円錐状の施療用突起５６とを有し、これらの施療用突起５６が、それらの軸方向が先端側ほど広がるように形成されるから、上記各実施例と同様な作用・効果を奏する。
【００６５】
また、実施例上の効果として、前記各施療用突起５６が３本であるから、これらの施療用突起５６…間の間隔を確保することができ、これにより、髪の毛の間に複数の前記施療用突起５６を挿入し易くすることができる。また、前記各施療用突起５６は、前記中心軸５５Ｌに対して斜めになっているが、前記小突起５７の中心軸が前記中心軸５５Ｌと略平行であるから、複数（４本）の前記各小突起５７の先端を頭皮に均一に当てることができる。
【実施例４】
【００６６】
図２２〜図２８は本発明の実施例４を示しており、上記各実施例と同一部分に同一符号を付し、その説明を省略して詳述する。この例は、電動機３を縦向きに配置し、歯車ケース１４をその下部に配置すると共に、この歯車ケース１４の下部から駆動軸３Ａを下向きに突設している。なお、この駆動軸３Ａは、図示しないフレームの上部で且つ前後方向一側（前側）に配置されている。
【００６７】
前記駆動軸３Ａには、駆動歯車１５が設けられている。また、中間伝達歯車９１は、歯数の多い大歯車部９１Ｂと歯数の少ない小歯車部９１Ｓとを有している。そして、歯数の多い前記大歯車部９１Ｂは、前記駆動歯車１５と噛み合っている。なお、前記中間伝達歯車９１の回転軸９１Ｋは、上下方向をなす。この回転軸９１Ｋと回転機構部９２の他の歯車の回転軸は平行であり、それら歯車はフレーム等に回動可能に軸支されている。
【００６８】
図２４等に示すように、前記中間伝達歯車９１は、フレームの前後方向中央で且つ左右方向右側寄りに位置している。そして、前記中間伝達歯車９１の小歯車部９１Ｓの前後には、前記回転施療子５を駆動する前側駆動歯車群３１Ｆ及び後側駆動歯車群３１Ｂが接続されている。
【００６９】
前記前側駆動歯車群３１Ｆと後側駆動歯車群３１Ｂは、前記回転施療子５の向きが異なるように構成したこと以外は同一構成である。詳述すると、前記中間伝達歯車９１の小歯車部９１Ｓは、前記前側駆動歯車群３１Ｆと後側駆動歯車群３１Ｂを構成する中央歯車３２Ｌと噛み合っている。そして、前記前側駆動歯車群３１Ｆと後側駆動歯車群３１Ｂは、隣接する前記中央歯車３２Ｌと中央歯車３２Ｒとが噛み合っている。更に、前記前側駆動歯車群３１Ｆと後側駆動歯車群３１Ｂは、隣接する前記中央歯車３２Ｌと外側歯車３３Ｌとが噛み合っていると共に、隣接する前記中央歯車３２Ｒと外側歯車３３Ｒとが噛み合っている。また、前記中央歯車３２Ｌ，外側歯車３３Ｌ，中央歯車３２Ｒ及び外側歯車３３Ｒの回転中心が一直線上に並ぶことで、前後左右の４箇所に、施療子回転部９，９，９，９が設けられている。なお、前記外側歯車３３Ｌ，３３Ｒの中心軸線１３５Ｌ，１３５Ｒは、前記中間伝達歯車９１の回転軸９１Ｋと平行である。
【００７０】
前記外側歯車３３Ｌ，３３Ｒには、それぞれ第一傘歯車である傘歯車３５Ｌ，３５Ｒが形成されている。また、これらの傘歯車３５Ｌ，３５Ｒには、それぞれ第二傘歯車である従動側傘歯車３６Ｌ，３６Ｒが噛み合うように設けられている。そして、前記従動側傘歯車３６Ｌ，３６Ｒは、それぞれの中心軸線１３６Ｌ，１３６Ｒが、前記傘歯車３５Ｌ，３５Ｒ（即ち、前記外側歯車３３Ｌ，３３Ｒ）の中心軸線１３５Ｌ，１３５Ｒに対し、中心点９３に向かって傾斜している。なお、前記傘歯車３５Ｌ，３５Ｒの中心軸線１３５Ｌ，１３５Ｒに対する従動側傘歯車３６Ｌ，３６Ｒの中心軸線１３６Ｌ，１３６Ｒの傾斜角度は、１５度程度である。即ち、前記前側駆動歯車群３１Ｆ及び後側駆動歯車群３１Ｂの前記従動側傘歯車３６Ｌ，３６Ｒ，３６Ｌ，３６Ｒの中心軸線１３６Ｌ，１３６Ｒ，１３６Ｌ，１３６Ｒは、下方において１点で交差する。そして、前記中間伝達歯車９１、前側及び後側駆動歯車群３１Ｆ，３１Ｂにより、前記電動機３の回転運動を伝達する伝達機構９４が構成され、前側及び後側駆動歯車群３１Ｆ，３１Ｂにより、前記回転機構部９２が構成されている。
【００７１】
図２８は、前記回転施療子５の動作を説明する図面である。同図に示すように、対称面９５を基準として、前記前側駆動歯車群３１Ｆと後側駆動歯車群３１Ｂは、前後方向に面対称となっている。同様に、対称面９６を基準として、前記前側駆動歯車群３１Ｆと後側駆動歯車群３１Ｂは、それぞれ左右方向に面対称となっている。なお、前記対称面９５と対称面９６は、前記中心点９３にて直交する。また、前記前側駆動歯車群３１Ｆの右の外側歯車３３Ｒと前記後側駆動歯車群３１Ｂの左の外側歯車３３Ｌの中心とを結ぶ仮想線９７と、前記後側駆動歯車群３１Ｂの右の外側歯車３３Ｒと前記前側駆動歯車群３１Ｆの左の外側歯車３３Ｌの中心とを結ぶ仮想線９８とが、前記中心点９３において交差する。
【００７２】
そして、前記回転施療子５は、前記対称面９５の前後に位置する前側部分（第一部分）８３Ｆと後側部分（第二部分）８３Ｂが面対称となるように配置されていると共に、面対称状に動作する。同様に、前記回転施療子５は、前記対称面９６の左右に位置する左側部分（第一部分）８３Ｌと右側部分（第二部分）８３Ｒが面対称となるように配置されていると共に、面対称状に動作する。具体的には、全ての前記回転施療子５，５，５，５の先端は、前記仮想線９７，９８の延長線上で、且つ前記中心点９３から最も離れた位置である基準位置に、同時に位置することができる。ここから、前記電動機３が動作すると、前記前側部分８３Ｆの回転施療子５，５，５，５の先端は、底面視で、右側が右回り、左側が左回りに同一速度で回転すると共に、後側部分８３Ｂの回転施療子５，５の先端は、右側が左回り、左側が右回りに同一速度で回転する。なお、図２８において、前記回転施療子５，５が前記基準位置から９０度回転した位置に「△」を付し、１８０度回転した位置に「○」を付し、２７０度回転した位置に「×」を付しており、３６０度回転して戻った基準位置に「●」を付している。
【００７３】
上記のように、前記前側部分８３Ｆと後側部分８３Ｂで、前記回転施療子５，５，５，５は面対称形に配置されると共に、面対称状に動作する。同様に、前記左側部分８３Ｌと右側部分８３Ｒで、前記回転施療子５，５，５，５は面対称形に配置されると共に、面対称状に動作する。
【００７４】
そして、図示しないスイッチにより、前記電動機３を駆動し、頭皮に前記施療子５を当てると、前記回転施療子５の先端が円運動して、頭皮をマッサージすることができる。この際、頭皮ケア器の前後左右において、回転施療子５，５が頭皮をマッサージすることができる。
【００７５】
また、前記前側部分８３Ｆと後側部分８３Ｂとで回転施療子５の先端が同期して逆方向に回転すると共に、前記左側部分８３Ｌと右側部分８３Ｒとで回転施療子５の先端が同期して逆方向に回転するため、頭皮に前記回転施療子５を当てた状態で前記頭皮ケア器が揺れず、安定してマッサージを行わせることができる。
【００７６】
なお、本実施例では、前記回転施療子５の施療子本体５１が省略されているが、これらの施療子本体５１は、上記各実施例のものと同一である。即ち、本実施例は、実施例1における施療子本体５１以外の部分の違いについて述べただけで、施療子本体５１自体の作用効果は、上記各実施例と同じである。
【００７７】
実施例上の効果として、本実施例では、フレームと、このフレームに収納される電動機３と、この電動機３の回転運動を伝達する伝達機構９４と、この伝達機構９４によって回転させられる回転機構部９２と、この回転機構部９２に連結された複数の回転施療子５，５，５，５とを有する頭皮ケア器において、前記回転機構部９２が、複数の第一傘歯車たる傘歯車３５Ｌ，３５Ｒと、これらの傘歯車３５Ｌ，３５Ｒと噛み合う第二傘歯車たる従動側傘歯車３６Ｌ，３６Ｒとを有し、これらの従動側傘歯車３６Ｌ，３６Ｒの回転軸１３６Ｌ，１３６Ｒを前記傘歯車３５の回転軸１３５Ｌ，１３５Ｒに対し傾斜させると共に、前記従動側傘歯車３６Ｌ，３６Ｒと前記回転施療子５，５を連結させたから、複数の前記回転施療子５，５，５，５の回転軸同士が傾斜するようにしても、確実に歯車同士を噛み合わせて円滑に前記回転施療子５，５，５，５を回転させることができる。
【００７８】
また、複数の回転施療子５，５，５，５が面対称状に配列されると共に、面対称状となる回転施療子５，５，５，５の前側部分（第一部分）８３Ｆと後側部分（第二部分）８３Ｂとが面対称に回転すると共に、面対称状となる回転施療子５，５，５，５の左側部分（第一部分）８３Ｌと右側部分（第二部分）８３Ｒとが面対称に回転するから、頭皮に当てた回転施療子５，５，５，５が回転しても、回転に伴って発生する頭皮ケア器を移動させようとする力が打ち消され、頭皮に対して頭皮ケア器を移動させようとする力が発生せず、頭皮ケア器を容易に安定して保持することができ、上記実施例１と同様な作用・効果を奏する。
【００７９】
更に、前記前側部分８３Ｆと後側部分８３Ｂとで、また、前記左側部分８３Ｌと右側部分８３Ｒとで、前記回転施療子５，５，５，５が面対称形に配置されているから、均一なマッサージ効果が得られる。また、前記電動機３を縦向きに配置すると共に前記駆動軸３Ａを下向きにしたから、実施例１の冠歯車２２が不要となり、前記伝達機構９４を簡略化することができる。
【００８０】
なお、本発明は以上の実施例に限定されるものではなく、発明の要旨の範囲内で種々の変形実施が可能である。例えば、施療用突起の数は２本以上あればよいが、施療効果などを考慮すると３本以上が好ましい。また、施療用突起は、取付軸の位置を固定し、この取付軸が回転するタイプのものに用いてもよい。また、実施例１では、往復施療子を左右一対設けたが、往復施療子を一つだけ設けてもよい。この場合、往復施療子は、対称面上に位置させることになる。また、上記各実施例では、伝達機構及び回転機構部を歯車により構成したが、その全部又は一部をスプロケットとチェーン、又はプーリーと無端状ベルト等により構成してもよい。また、上記各実施例では、施療子を面対称状に配置したが、面対称状に配置しなくてもよく、左側部分（第一部分）と右側部分（第二部分）にそれぞれ複数、好ましくは同数の回転施療子を配置し、互いに逆方向に回転駆動するようにしてもよい。更に、上記実施例では、回転施療子は、その端部に形成されたカム部が中央歯車又は傘歯車に形成されたカム受部と係合するように構成されるが、回転施療子を中央歯車又は傘歯車と一体的に構成しても良い。
【符号の説明】
【００８１】
１  頭皮ケア器
２  フレーム
３  電動機
５  回転施療子
７  回転機構部
５５  筒部
５５Ｌ  中心軸
５６  施療用突起
５６Ｈ  反中心軸側部分
５６Ｌ  中心軸
１０３  突起先端部
１０４  突起基部
１０５  拡大肉厚部
【図１】
2016010443.tif 000003
【図２】
2016010443.tif 000004
【図３】
2016010443.tif 000005
【図４】
2016010443.tif 000006
【図５】
2016010443.tif 000007
【図６】
2016010443.tif 000008
【図７】
2016010443.tif 000009
【図８】
2016010443.tif 000010
【図９】
2016010443.tif 000011
【図１０】
2016010443.tif 000012
【図１１】
2016010443.tif 000013
【図１２】
2016010443.tif 000014
【図１３】
2016010443.tif 000015
【図１４】
2016010443.tif 000016
【図１５】
2016010443.tif 000017
【図１６】
2016010443.tif 000018
【図１７】
2016010443.tif 000019
【図１８】
2016010443.tif 000020
【図１９】
2016010443.tif 000021
【図２０】
2016010443.tif 000022
【図２１】
2016010443.tif 000023
【図２２】
2016010443.tif 000024
【図２３】
2016010443.tif 000025
【図２４】
2016010443.tif 000026
【図２５】
2016010443.tif 000027
【図２６】
2016010443.tif 000028
【図２７】
2016010443.tif 000029
【図２８】
2016010443.tif 000030